(57)【要約】【課題】ケーブルモデム内蔵セットトップボックスにおいて、自機に有効なケーブルモデム用のチャネルを検出するために多くの時間を要していた。【解決手段】デジタル放送受信部で、割り当てられた周波数帯域内のチャネルにチューニングしてテレビ放送信号を有するかを検出し、テレビ放送信号を有しない場合はそのチャネルをケーブルモデムチャネル候補記憶部に記憶する。ケーブルモデム部のチューニング時に前記をケーブルモデムチャネル候補記憶部に記憶されたチャネルの情報を用いてチューニングする。【選択図】  図２
2004254102.tif 000002
【特許請求の範囲】
【請求項１】
割り当てられた周波数帯域内のチャネルに第１の順序でチューニングしてチューニング信号を出力する第１のチューナー部と、
前記第１のチューナー部が出力するチューニング信号を入力して復調可否結果と復調信号を出力する復調部と、
前記復調部が出力した復調信号を入力してテレビ放送信号を有するか否かを判定して放送キャリア検出結果を出力する放送キャリア検出部と、
前記放送キャリア検出部が出力する放送キャリア検出結果がテレビ放送信号を有する場合にそのチャネルを入力して記憶する放送チャネル記憶部と、
前記復調部が出力する復調可否結果が可であり、かつ前記放送キャリア検出部が出力する放送キャリア検出結果がテレビ放送信号を有さない場合にそのチャネルを入力して記憶するケーブルモデムチャネル候補記憶部と、
前記ケーブルモデムチャネル候補記憶部に記憶するチャネルが入力されるとそのチャネルにチューニングしてチューニング信号を出力する第２のチューナー部と、
前記第２のチューナー部が出力するチューニング信号を入力してケーブルモデムに利用可能か判定して判定結果を出力する判定部と、
前記判定部の判定結果がケーブルモデムに利用可能である場合にそのチャネルを記憶するケーブルモデムチャネル記憶部とを有することを特徴とするケーブルモデム内蔵セットトップボックス。
【請求項２】
前記ケーブルモデムチャネル候補記憶部にチャネルが入力される以前は、前記第２のチューナー部は割り当てられた周波数帯域内のチャネルに第２の順序でチューニングすることを特徴とする請求項１記載のケーブルモデム内蔵セットトップボックス。
【請求項３】
前記ケーブルモデムチャネル候補記憶部に記憶されたチャネルのチューニング信号を前記判定部がケーブルモデムに利用可能でないと判定した場合、前記第２のチューナー部は割り当てられた周波数帯域内のチャネルに第２の順序でチューニングすることを特徴とする請求項１記載のケーブルモデム内蔵セットトップボックス。
【請求項４】
前記ケーブルモデムチャネル候補記憶部に記憶されたチャネルのチューニング信号を前記判定部がケーブルモデムに利用可能でないと判定して前記第２のチューナー部が前記第２の順序でチューニングする際に、前記第２のチューナー部は前記第１のチューナー部がチューニングを終了したチャネルにはチューニングしないことを特徴とする請求項３記載のケーブルモデム内蔵セットトップボックス。
【請求項５】
前記第１の順序と前記第２の順序が等しいことを特徴とする請求項２乃至請求項４いずれかに記載のケーブルモデム内蔵セットトップボックス。
【請求項６】
前記第１の順序と前記第２の順序が逆順であることを特徴とする請求項２乃至請求項３いずれかに記載のケーブルモデム内蔵セットトップボックス。
【発明の詳細な説明】
【０００１】
【発明の属する技術分野】
この発明は、ケーブルテレビジョン（ＣＡＴＶ）網によってデジタル放送を受信するセットトップボックスにＣＡＴＶ網を利用してデータ通信を行うケーブルモデムを内蔵したケーブルモデム内蔵セットトップボックスに関する。
【０００２】
【従来の技術】
従来のＣＡＴＶは、ビルの谷間や山間部等におけるテレビ画像の映りの悪さを回避するために、共同アンテナを設置するとともにケーブルにより加入者の家庭に送信するものである。また、このように有線のケーブルにより接続されることから、視聴者、顧客を特定できるため、有料テレビとしても用いられる。
【０００３】
従来のシステムは、放送局から家庭へ下り回線を使用して下り信号として情報を発信する、片方向のみ伝送するＣＡＴＶであった。しかし近年、ＣＡＴＶ網を利用してデータ通信を行うケーブルモデムが普及し、さらにケーブルモデムを内蔵したセットトップボックスが普及しはじめている。
【０００４】
通常、ケーブルモデムはテレビ放送用に割り当てられたチャネルのうちの一つを下りチャネルとして利用し、ケーブル局からケーブルモデムの方向（下り方向）のデータ通信を行う。どのチャネルを使用するかは各ＣＡＴＶ局によって異なるので、ケーブルモデムの設置時に、所定の周波数内にある利用可能なチャネルに順次チューニングし、自機に対するケーブルモデムの下りチャネルとして利用可能かどうかを判定する。一度利用可能な下りチャネルが見つかれば、それを不揮発性メモリ等に記憶し、次回からはその下りチャネルを最初に判定する。
【０００５】
一般にケーブルモデムの下りチャネルが自機にとって利用可能かどうかの判定には、時間がかかる。例えば、ＤＯＣＳＩＳ（Ｄａｔａ  Ｏｖｅｒ  Ｃａｂｌｅ  Ｓｙｓｔｅｍ  Ｉｎｔｅｒｆａｃｅ  Ｓｐｅｃｉｆｉｃａｔｉｏｎ）規格に準拠したケーブルモデムでは、次のような手順で判定を行う。（１）適当な周波数チャネルにチューニングする。（２）入力信号を所定の変調方式に則って復調する。（３）復調後の信号をＤＯＣＳＩＳ規格に則って復号する。（４）パラメータ設定情報を受信し、自機を設定する。（５）センター局にあるＣＭＴＳ（Ｃａｂｌｅ  Ｍｏｄｅｍ  Ｔｅｒｍｉｎａｔｉｏｎ  Ｓｙｓｔｅｍ）とやりとりし、タイミング調整や使用する上り周波数の微調整等を行う。（６）ＤＨＣＰ（Ｄｙｎａｍｉｃ  Ｈｏｓｔ  Ｃｏｎｆｉｇｕｒａｔｉｏｎ  Ｐｒｏｔｏｃｏｌ）によりＤＨＣＰサーバーからＩＰアドレス等を取得、設定する。（７）ＴＯＤ（Ｔｉｍｅ  ｏｆ  Ｄａｙ）により、ＴＯＤサーバーから現在時刻を取得、時刻設定を行う。（８）ＴＦＴＰ（Ｔｒｉｖｉａｌ  Ｆｉｌｅ  Ｔｒａｎｓｆｅｒ  Ｐｒｏｔｏｃｏｌ）により、ＴＦＴＰサーバーから上位層のパラメータを取得、設定する。（９）ＣＭＴＳにケーブルモデムを登録する。これらがすべて正しく動作したことをもって、下りチャネルが自機にとって利用可能であることがわかる。
【０００６】
上記の下りチャネルの設定は、ケーブルモデムの設置時の他、ＣＡＴＶ局の都合で下りチャネルが変更になった場合等にも行われる。
【０００７】
ＣＡＴＶにおいて、テレビ放送用もしくはケーブルモデムの下りチャネル用に割り当てられている周波数帯域は、おおむね８８ＭＨｚから８６０ＭＨｚの範囲であり、１チャネル分の帯域幅は日本や米国では６ＭＨｚ、欧州では８ＭＨｚである。最悪の場合、ケーブルモデム設置時に１００前後のチャネルを判定する必要があり、これにより設置や下りチャネル変更時に多くの時間がかかっていた。
【０００８】
特許文献１によれば、ケーブルモデムは、接続されている情報処理装置から下りチャネルの周波数を受信するインタフェースをもち、その周波数をキャッシュに登録する。
【０００９】
【特許文献１】
特開２００２−１７６４６５号公報
【００１０】
【発明が解決しようとする課題】
しかしながら、上記の構成にはいくつかの問題がある。特許文献１のケーブルモデムでは、あらかじめ情報処理装置がケーブルモデムで使用される下りチャネルの周波数を知っていなければならない。下りチャネルの周波数をケーブルモデムに添付して発送したり、またはサービスマンが周波数の一覧表を参照しながら設置する等の方法が考えられる。ＣＡＴＶ局によっては多くのケーブルモデムを収容するために、複数の下りチャネルを使用してケーブルモデムシステムを構築している場合がある。更にＣＡＴＶ網の構成とユーザー宅の地理的な位置関係は独立なので、隣あったユーザー宅でも使用する下りチャネルの周波数が異なる場合もある。このような状況では、ケーブルモデムに周波数を添付する方法も、サービスマンが一覧表を参照しながら設置する方法も、煩雑な作業が発生し誤りもおきやすい。
【００１１】
また、情報処理装置に特別なソフトウェアを搭載し、かつ設定するチャネルの周波数を正確に入力する必要があり、設定作業は訓練を受けたサービスマンを必要とし、一般ユーザーには難しい。
【００１２】
一方、セットトップボックスでも、設置時に割り当てられている周波数帯域をサーチしテレビ放送を流しているチャネルを検出し、記憶する。一般的に、サーチボタン等を押下することにより自動的に行われる。デジタル放送の場合、一般的にケーブルモデムで用いられる変調方式と同じ変調方式を用いて変調されている。テレビ放送チャネルの検出には、ケーブルモデムで見られるような複雑な調整やサーバー群とのやりとりはなく、比較的短時間で終わる。
【００１３】
本発明では、セットトップボックスでのチャネルサーチを利用し、短時間でケーブルモデムの下りチャネルを検出できるような、ケーブルモデム内蔵セットトップボックスを提供する。
【００１４】
【課題を解決するための手段】
上記課題を解決するため、第１の発明は、割り当てられた周波数帯域内のチャネルに第１の順序でチューニングしてチューニング信号を出力する第１のチューナー部と、前記第１のチューナー部が出力するチューニング信号を入力して復調可否結果と復調信号を出力する復調部と、前記復調部が出力した復調信号を入力してテレビ放送信号を有するか否かを判定して放送キャリア検出結果を出力する放送キャリア検出部と、前記放送キャリア検出部が出力する放送キャリア検出結果がテレビ放送信号を有する場合にそのチャネルを入力して記憶する放送チャネル記憶部と、前記復調部が出力する復調可否結果が可であり、かつ前記放送キャリア検出部が出力する放送キャリア検出結果がテレビ放送信号を有さない場合にそのチャネルを入力して記憶するケーブルモデムチャネル候補記憶部と、前記ケーブルモデムチャネル候補記憶部に記憶するチャネルが入力されるとそのチャネルにチューニングしてチューニング信号を出力する第２のチューナー部と、前記第２のチューナー部が出力するチューニング信号を入力してケーブルモデムに利用可能か判定して判定結果を出力する判定部と、前記判定部の判定結果がケーブルモデムに利用可能である場合にそのチャネルを記憶するケーブルモデムチャネル記憶部とを有することを特徴とするケーブルモデム内蔵セットトップボックスである。
【００１５】
以上の構成より、テレビ放送チャネルのサーチ時に、復調可能だがテレビ放送のキャリアを含んでいないチャネルをケーブルモデム用の候補下りチャネルとして伝えることができる。このことにより、ケーブルモデムの下りチャネル検出時間を削減できる。
【００１６】
また、第２の発明は、前記ケーブルモデムチャネル候補記憶部にチャネルが入力される以前は、前記第２のチューナー部は割り当てられた周波数帯域内のチャネルに第２の順序でチューニングすることを特徴とする第１の発明に記載のケーブルモデム内蔵セットトップボックスである。
【００１７】
以上の構成より、ケーブルモデムの下りチャネル候補を検出する前でも、チャネルのサーチが可能となり、ケーブルモデムの下りチャネルの検出時間を更に削減できる。
【００１８】
また、第３の発明は、前記ケーブルモデムチャネル候補記憶部に記憶されたチャネルのチューニング信号を前記判定部がケーブルモデムに利用可能でないと判定した場合、前記第２のチューナー部は割り当てられた周波数帯域内のチャネルに第２の順序でチューニングすることを特徴とする第１の発明に記載のケーブルモデム内蔵セットトップボックスである。
【００１９】
以上の構成より、チャネル候補がケーブルモデムチャネルとして利用可能ではない場合に、別のチャネルのサーチが可能となり、ケーブルモデムの下りチャネルの検出時間を更に削減できる。
【００２０】
また、第４の発明は、前記ケーブルモデムチャネル候補記憶部に記憶されたチャネルのチューニング信号を前記判定部がケーブルモデムに利用可能でないと判定して前記第２のチューナー部が前記第２の順序でチューニングする際に、前記第２のチューナー部は前記第１のチューナー部がチューニングを終了したチャネルにはチューニングしないことを特徴とする第３の発明に記載のケーブルモデム内蔵セットトップボックスである。
【００２１】
以上の構成より、チャネル候補にはならないチャネルの検出を行なう必要が無いので、ケーブルモデムの下りチャネルの検出時間を更に削減できる。
【００２２】
また、第５の発明は、前記第１の順序と前記第２の順序が等しいことを特徴とする第２の発明乃至第４の発明いずれかに記載のケーブルモデム内蔵セットトップボックスである。
【００２３】
以上の構成より、チャネル検索順序の設定が容易となる。
【００２４】
また、第６の発明は、前記第１の順序と前記第２の順序が逆順であることを特徴とする第２の発明乃至第３の発明いずれかに記載のケーブルモデム内蔵セットトップボックスである。
【００２５】
以上の構成より、検索するチャネルが重複しないので、ケーブルモデムの下りチャネルの平均検出時間を更に削減できる。
【００２６】
【発明の実施の形態】
以下、本発明のケーブルモデム内蔵セットトップボックスについて図面を用いて説明する。なお以下は、本発明の実施の形態の一例であって、これに限定されるものではない。
【００２７】
図１は、本発明のケーブルモデム内蔵セットトップボックスが使用される、ＣＡＴＶシステムの概要を示す図である。１はケーブルモデム内蔵セットトップボックス、２はテレビ、３はＣＭＴＳ、４は番組送出装置、５はヘッドエンド装置、６はＣＡＴＶ網、７はインターネットである。
【００２８】
ＣＭＴＳ３は、インターネット７上のデータフレーム形式とＣＡＴＶ網６上のデータフレーム形式とを変換して、インターネット７とＣＡＴＶ網６間のデータ中継を実現する。またＣＭＴＳ３は、インターネット７からのデータフレームを含むキャリアを、デジタル変調してＣＡＴＶ網６に送り出す。多数のケーブルモデム内蔵セットトップボックス１やケーブルモデムを収容するために、複数のＣＭＴＳ３が設置される場合がある。
【００２９】
番組送出装置４は、各放送チャネル上に流れるテレビ番組を送出する。デジタル放送の場合、番組を含むストリーム信号をデジタル変調し、ＣＡＴＶ網６に送出する。番組送出装置４はそのＣＡＴＶ局が取り扱うテレビ番組の数と同数だけ設置される。
【００３０】
ＣＭＴＳ３の下り信号と番組送出装置４の下り信号は、ヘッドエンド装置５で周波数多重されてＣＡＴＶ網６に出力される。
【００３１】
ケーブルモデム内蔵セットトップボックス１は、複数あるＣＭＴＳ３のいずれかを利用可能である。設置時、ケーブルモデム内蔵セットトップボックス１は、ＣＡＴＶ網６からの入力信号をサーチし、自機が利用可能な下りチャネルを検出してＣＭＴＳ３に登録する。一度登録できた後には、自機内の不揮発性メモリ等にその下りチャネルを記憶し、２回目以降は最初にそのチャネルが利用可能かどうかを確認する。
【００３２】
またケーブルモデム内蔵セットトップボックス１は、設置時、ユーザーもしくはサービスマンの操作により、ＣＡＴＶ網６からの入力信号をサーチし、複数ある番組送出装置４が送出するすべてのテレビ番組が流れているチャンネルを受信しようとする。
【００３３】
図２は、ケーブルモデム内蔵セットトップボックス１の内部の構成を示す図である。１１はデジタル放送受信部であり、デジタル放送番組を受信、再生してテレビ２に出力する。１２はケーブルモデム部であり、ＣＭＴＳ３を介してインターネット７へアクセスする。アクセスした結果の情報（ＷＷＷページ、電子メール等）は、単独で、もしくはデジタル放送受信部１１が受信したデジタル放送番組と組み合わされて、テレビ２に出力される。
【００３４】
図２の１１１は第１のチューナー部で、第１の制御部１１０によって指示されたチャネルの周波数にチューニングする。１１２は復調部で、第１のチューナー部１１１からの信号が所定の方法でデジタル変調されているかどうかを判定し、そうであれば復調する。また、復調部１１２は、復調可能かどうかの結果を第１の制御部１１０に通知する。１１３は放送キャリア検出部で、復調後の信号に有効なデジタル放送信号が含まれているかどうかを検出し、そうであれば再生部１１７に信号を送り、かつ結果を第１の制御部１１０に通知する。１１４は放送チャネル記憶部で、有効なデジタル放送信号を受信できるチャネルを記憶する。１１５はケーブルモデムチャネル候補記憶部で、復調はできるが有効なデジタル放送信号を含んでいない信号が流れているチャネルを記憶する。１１６は第１の通信部で、ケーブルモデムチャネル候補記憶部１１５にチャネルが追加されると、そのチャネルをケーブルモデム部１２へ通知する。１１７は再生部で、デジタル放送番組を再生し、テレビ２に出力する。また再生部１１７は、テレビからの入力情報を処理部１２５に送る。
【００３５】
図２の１２１は第２のチューナー部で、第２の制御部１２０によって指示されたチャネルの周波数にチューニングする。１２２は判定部で、第２のチューナー部の出力信号を復調し、復調した信号を復号したのち含まれるパケットを解析する。更に判定部１２２は、送信部１２６を介してＣＭＴＳ３とやりとりをして、第２のチューナー部１２１がチューニングしているチャネルが自機が利用可能なケーブルモデムの下りチャネルかどうかを判定する。１２３はケーブルモデムチャネル記憶部で、判定部１２２が自機が利用可能なケーブルモデムの下りチャネルと判断したチャネルを記憶する。１２４は第２の通信部で、デジタル放送受信部１１から、ケーブルモデムチャネルの候補を受信し、第２の制御部１２０に通知する。１２５は処理部で、ＣＭＴＳ３、ＣＡＴＶ網６を介して受信したインターネット７からのパケットを処理して、再生部１１７に送る。また処理部１２５は、テレビ２からの情報をインターネットパケットに変換して送信部１２６に送る。１２６は送信部で、ＣＡＴＶ網６にパケットを送信する。
【００３６】
図３及び図４はそれぞれ、ケーブルモデム部１２、デジタル放送受信部１１の動作を示すフローチャートである。ケーブルモデム部１２、デジタル放送受信部１１は、物理的もしくは論理的に独立に動作する。ケーブルモデム用もしくはデジタル放送用に割り当てられているチャネルは、それぞれ最小値から最大値まで、番号づけられているものとする。
【００３７】
最初に図３を用いてケーブルモデム部１２の動作を説明する。第２の制御部１２０は、ケーブルモデムチャネル記憶部１２３に、自機で利用可能なケーブルモデム用のチャネルが記憶されているかどうかを確認し（ステップＳ１）、記憶されていれば通常のケーブルモデム通信処理を行う（ステップＳ７）。
【００３８】
記憶されていなければ、第２の制御部１２０はその内部変数ＣＨ１にチャネル番号の最小値を代入する（ステップＳ２）。第２の通信部１２４からケーブルモデムチャネルの候補チャネルの通知があった場合（ステップＳ３）、第２の制御部１２０は内部変数ＣＨ０をその候補チャネルに設定する（ステップＳ３１）。
通知がなければ、内部変数ＣＨ０を内部変数ＣＨ１に設定し、ＣＨ１を１だけ加算する（ステップＳ３２）。なおこの加算の結果、最大値に達した場合は、ＣＨ１はまた最小値に戻る。
【００３９】
この後、第２の制御部１２０は、第２のチューナー部１２１に指示してＣＨ０にチューニングさせる（ステップＳ４）。判定部１２２は、チューニングした信号を復調し、自機に利用可能なケーブルモデム用チャネルかどうかを判定する（ステップＳ５）。有効でなければステップＳ３に戻る。有効ならＣＨ０をケーブルモデムチャネル記憶部１２３に記憶し、通常のケーブルモデム通信処理を行う（ステップＳ７）。
【００４０】
次に図４を用いてデジタル放送受信部１１の動作を説明する。ユーザーによる設定等により、第１の制御部１１０が放送チャネルの検出、設定を行うか判断する（ステップＳ１）。設定を行わない場合は、通常の放送番組受信処理を行う（ステップＳ８）。
【００４１】
放送チャネルの検出、設定を行う場合は、第１の制御部１１０は内部変数ＣＨ０にチャネル番号の最大値を代入する（ステップＳ２）。第１の制御部１１０は、第１のチューナー部１１１に指示してＣＨ０にチューニングさせる（ステップＳ３）。復調部１１２は、第１のチューナー部１１１の出力信号が復調できるかどうかを判断し（ステップＳ４）、復調できる場合は、復調して復調後の信号を放送キャリア検出部１１３に送る。復調できなければ、すべてのチャネルを確認したかどうかを判断する（ステップＳ６）。
【００４２】
放送キャリア検出部１１３は、復調後の信号に有効なデジタル放送信号が含まれているかどうかを確認し（ステップＳ５）。その結果を第１の制御部１１０に通知する。有効なデジタル放送信号が含まれている場合は、第１の制御部１１０は放送チャネル記憶部１１４にＣＨ０を追加する（ステップＳ５１）。含まれていなければ、第１の制御部１１０はケーブルモデムチャネル候補記憶部１１５にＣＨ０を追加する（ステップＳ５２）。
【００４３】
第１の制御部１１０は、すべてのチャネルを確認したかどうかを判断し（ステップＳ６）、そうであれば通常の放送番組受信処理を行う（ステップＳ８）。そうでなければ、ＣＨ０を１だけ減算して（ステップＳ７）、ステップＳ３に戻る。
【００４４】
以上、本実施の形態によれば、復調はできるがデジタル放送信号を含んでいないチャネルをケーブルモデム用のチャネルの候補として利用できるので、ケーブルモデム部のチャネル検出時間を短縮できる。また、ケーブルモデム部は、チャネル候補の通知を受けない間は別のチャネルを確認するので、更に検出時間を短縮できる。更にデジタル放送受信部はチャネル番号の最大値から降順に、ケーブルモデム部はチャネルの最小値から昇順にチャネルを確認するので、更に検出時間を短縮できる。
【００４５】
なお、ケーブルモデム部による候補チャネルの確認を、デジタル放送受信部からの通知があったときにのみ行うのではなく、第２の通信部がケーブルモデムチャネル候補記憶部の候補チャネルを獲得して、未確認の候補チャネルがあれば随時確認していってもよい。このことにより、デジタル放送受信部が放送チャネルの検出を行っているとき以外でも、ケーブルモデム部のチャネルの検出時間を短縮できる。
【００４６】
更にデジタル放送受信部が、ケーブルモデムチャネル候補記憶部の内容に変化があったときにその旨をケーブルモデム部に通知し、ケーブルモデム部がケーブルモデムチャネル候補記憶部から候補チャネルを取得してもよい。このことにより、ケーブルモデム部がチャネルの有効性を確認中にデジタル放送受信部で検出した候補チャネルの有効性を、取りこぼすことなく確認できる。もしくは、第２の通信部にバッファをもたせて、ケーブルモデム部がチャネルの有効性を確認中にデジタル放送受信部から候補チャネルを受信した場合、そのバッファに候補チャネルを一時的に保存してもよい。これによっても同等の効果が得られる。
【００４７】
更に、第２のチューナー部が、ケーブルモデムチャネル候補記憶部に記憶されているチャネル以外でチューニングするチャネルを選ぶとき、第１のチューナー部が既にチューニングし、復調部による復調可否の判定が終わっているチャネルを避けるようにしてもよい。復調部による復調可否の終わっているチャネルは、ケーブルモデムチャネル候補記憶部に記憶されているチャネル以外では、復調できないチャネルか、テレビ放送信号を含むチャネルかどちらかで、いずれもケーブルモデム用に用いられるチャネルではない。このようにすれば更にケーブルモデム部のチャネルの検出時間を短縮できる。
【００４８】
また、本実施の形態ではデジタル放送受信部とケーブルモデム部で逆の順番でチャネルを確認したが、同じ順番でチャネルを確認してもよい。ハードウエアの構成等の理由でケーブルモデム部がデジタル放送受信部の起動より遅れて起動する場合等では、このようにした方が結果としてのケーブルモデム部のチャネルの検出時間を短縮できる場合がある。
【００４９】
【発明の効果】
以上、本発明によれば、ケーブルモデム内蔵セットトップボックスは、復調はできるがデジタル放送信号を含んでいないチャネルをケーブルモデム用のチャネルの候補として利用できるので、自機に有効なケーブルモデム用のチャネル検出時間を短縮できる。また、ケーブルモデム部は、チャネル候補の通知を受けない間は別のチャネルを確認するので、更に検出時間を短縮できる。更にデジタル放送受信部とケーブルモデム部で逆の順番でチャネルを確認するので、更に検出時間を短縮できる。
【００５０】
更に、ケーブルモデム部は、ケーブルモデムチャネル候補記憶部に記憶されているチャネル以外でチューニングするチャネルを選ぶ際、デジタル放送受信部がチューニング済みのチャネルを避けるようにすることにより、ケーブルモデム部のチャネルの検出時間をより短縮できる。
【００５１】
更に、ケーブルモデム部がデジタル放送受信部の起動より遅れて起動する場合等では、デジタル放送受信部とケーブルモデム部とで同じ順番でチャネルを確認した方が、よりケーブルモデム部のチャネルの検出時間を短縮にする効果がある場合もある。
【００５２】
なお、本発明はセットトップボックスにケーブルモデムを内蔵している場合を対象としているが、ケーブルモデム単体に対しても、外部にあるセットトップボックスと適当な通信プロトコルを用いて候補チャネルの通知ができれば、容易に適用可能である。
【図面の簡単な説明】
【図１】本発明の実施の形態のケーブルモデム内蔵セットトップボックスが用いられるＣＡＴＶシステムの例を示す図
【図２】同実施の形態のケーブルモデム内蔵セットトップボックスの内部の構成を示す図
【図３】同実施の形態のケーブルモデム部の動作を示すフローチャート
【図４】同実施の形態のデジタル放送受信部の動作を示すフローチャート
【符号の説明】
１  ケーブルモデム内蔵セットトップボックス
２  テレビ
３  ＣＭＴＳ
４  番組送出装置
５  ヘッドエンド装置
６  ＣＡＴＶ網
７  インターネット
１１  デジタル放送受信部
１２  ケーブルモデム部
１１０  第１の制御部
１１１  第１のチューナー部
１１２  復調部
１１３  放送キャリア検出部
１１４  放送チャネル記憶部
１１５  ケーブルモデムチャネル候補記憶部
１１６  第１の通信部
１１７  再生部
１２０  第２の制御部
１２１  第２のチューナー部
１２２  判定部
１２３  ケーブルモデムチャネル記憶部
１２４  第２の通信部
１２５  処理部
１２６  送信部
【図１】
2004254102.tif 000003
【図２】
2004254102.tif 000004
【図３】
2004254102.tif 000005
【図４】
2004254102.tif 000006